(57)【要約】【課題】表示部の画像表示領域をより有効に活用すること。【解決手段】携帯電話機１は、筐体１０と、少なくとも一部が筐体１０の外部に露出できるように筐体１０の内部に設けられる表示部１６と、表示部１６を移動させる移動機構２０と、筐体１０に設けられて、表示部１６のうち、筐体１０の内部に収納されている部分の少なくとも一部を筐体１０の外部から視認できるようにする視認部１２と、表示部１６のうち筐体１０の外部に露出された第１領域に表示させる画像と、表示部１６のうち視認部１２と対向した第２領域に表示させる画像とを制御し、かつ、移動機構２０の動作を制御する制御部３０と、を備える。【選択図】図１
2011133678.tif 000002
【特許請求の範囲】
【請求項１】
筐体と、
少なくとも一部が前記筐体の外部に露出できるように前記筐体の内部に設けられる表示部と、
前記表示部を移動させる移動手段と、
前記筐体に設けられて、前記表示部のうち、前記筐体の内部に収納されている部分の少なくとも一部を前記筐体の外部から視認できるようにする視認部と、
前記表示部のうち前記筐体の外部に露出された第１領域における表示と、前記表示部のうち前記視認部と対向した第２領域における表示とを制御し、かつ、前記移動手段の動作を制御する制御部と、
を備えることを特徴とする携帯電子機器。
【請求項２】
前記制御部は、前記第１領域と前記第２領域とに異なる画像を表示させることを特徴とする請求項１に記載の携帯電子機器。
【請求項３】
前記制御部は、前記表示部がすべて前記筐体の内部に収納されている状態では、第２領域のみに画像を表示させることを特徴とする請求項１または請求項２に記載の携帯電子機器。
【請求項４】
前記制御部は、前記移動手段により前記表示部が移動されている間も、前記表示部の前記第２領域に画像を表示させることを特徴とする請求項１から請求項３のいずれか一項に記載の携帯電子機器。
【請求項５】
前記制御部は、前記移動手段による前記表示部の移動量に対応させて、前記第２領域を前記表示部の移動方向とは反対側に移動させつつ、前記第２領域に画像を表示させることを特徴とする請求項４に記載の携帯電子機器。
【請求項６】
前記制御部は、前記第１領域に表示させる画像の関連情報を、前記第２領域に表示させることを特徴とする請求項１から請求項５のいずれか一項に記載の携帯電子機器。
【請求項７】
前記制御部は、前記第２領域に表示させる前記関連情報を、前記第１領域に表示される画像の内容に応じて変化させることを特徴とする請求項１から請求項６のいずれか一項に記載の携帯電子機器。
【請求項８】
前記制御部は、前記表示部の前記第２領域に、１つ以上の項目を含むリスト情報を表示させ、
前記リスト情報の項目が選択されたら、選択された項目に設定された面積分、前記表示部を前記移動手段によって前記筐体の外に露出させることを特徴とする請求項１から請求項７のいずれか一項に記載の携帯電子機器。
【請求項９】
前記視認部は、前記筐体に形成された貫通口と、前記貫通口にはめ込まれた透明部材とを含んで構成されていることを特徴とする請求項１から請求項８のいずれか一項に記載の携帯電子機器。
【請求項１０】
前記表示部は、可撓性を有し、
前記移動手段は、前記表示部を前記筐体内に巻き取って収納する巻き取り部と、当該巻き取り部を回転させる駆動装置とを有し、
前記駆動装置が前記巻き取り部を巻き取り方向に回転させて、前記表示部を前記筐体に収納し、前記駆動装置が前記巻き取り部を前記巻き取り方向とは逆方向に回転させて、前記表示部を前記筐体の外部に露出させることを特徴とする請求項１から請求項９のいずれか一項に記載の携帯電子機器。
【請求項１１】
前記第１領域の最大の面積は、前記第２領域の面積よりも大きいことを特徴とする請求項１から請求項１０のいずれか一項に記載の携帯電子機器。
【請求項１２】
前記制御部は、前記第１領域に表示される情報の要旨を示す情報であることを前記第２領域に表示させることを特徴とする請求項１１に記載の携帯電子機器。
【請求項１３】
前記第１領域の最大の面積は、前記筐体の最も広い面の面積よりも大きいことを特徴とする請求項１から請求項１２のいずれか一項に記載の携帯電子機器。
【発明の詳細な説明】
【技術分野】
【０００１】
本発明は、少なくとも一部が筐体の外部に露出できるように筐体の内部に設けられる表示部を備える携帯電子機器に関する。
【背景技術】
【０００２】
従来、画像を表示する表示部を備えた携帯電子機器がある。一般的な携帯電子機器は、表示部が携帯電子機器の筐体に固定されている。このような携帯電話機のうち、例えば、縦長の表示部を備える携帯電話機では、横長の画像をそのまま表示部が表示すると、表示部の画像表示領域を有効に活用できない。そこで、縦長の表示部を備える携帯電話機では、表示部の長手方向に画像の長手方向が沿うように画像を回転させて表示部に表示させる場合がある。この場合、ユーザーは、筐体を９０°回転するように持ちかえる必要がある。そこで、例えば、特許文献１には、表示部を回転させる構造を備える装置が開示されている。
【先行技術文献】
【特許文献】
【０００３】
【特許文献１】特開２００６−３１３５３３号公報
【発明の概要】
【発明が解決しようとする課題】
【０００４】
特許文献１に記載の装置は、表示部の大きさが一定である。よって、表示部の画像表示領域よりもサイズが大きい画像を表示部に表示させる場合、特許文献１に記載の装置は、表示部の表示領域に画像の一部しか表示できなかったり、画像を縮小して表示する必要があったりする。表示部の表示領域に画像の一部しか表示できない場合、ユーザーは画像をスクロールさせる必要がある。一方、画像を縮小して表示する場合、画質が低下するおそれもがある。このように、特許文献１に記載の装置は、表示部の画像表示領域を有効に活用できない場合がある。
【０００５】
本発明は、上記に鑑みてなされたものであって、表示部の画像表示領域をより有効に活用できる携帯電子機器を提供することを目的とする。
【課題を解決するための手段】
【０００６】
上述した課題を解決し、目的を達成するために、本発明に係る携帯電子機器は、筐体と、少なくとも一部が前記筐体の外部に露出できるように前記筐体の内部に設けられる表示部と、前記表示部を移動させる移動手段と、前記筐体に設けられて、前記表示部のうち、前記筐体の内部に収納されている部分の少なくとも一部を前記筐体の外部から視認できるようにする視認部と、前記表示部のうち前記筐体の外部に露出された第１領域における表示と、前記表示部のうち前記視認部と対向した第２領域における表示とを制御し、かつ、前記移動手段の動作を制御する制御部と、を備えることを特徴とする。
【０００７】
本発明の好ましい態様としては、前記制御部は、前記第１領域と前記第２領域とに異なる画像を表示させることが望ましい。
【０００８】
本発明の好ましい態様としては、前記制御部は、前記表示部がすべて前記筐体の内部に収納されている状態では、第２領域のみに画像を表示させることが望ましい。
【０００９】
本発明の好ましい態様としては、前記制御部は、前記移動手段により前記表示部が移動されている間も、前記表示部の前記第２領域に画像を表示させることが望ましい。
【００１０】
本発明の好ましい態様としては、前記制御部は、前記移動手段による前記表示部の移動量に対応させて、前記第２領域を前記表示部の移動方向とは反対側に移動させつつ、前記第２領域に画像を表示させることが望ましい。
【００１１】
本発明の好ましい態様としては、前記制御部は、前記第１領域に表示させる画像の関連情報を、前記第２領域に表示させることが望ましい。
【００１２】
本発明の好ましい態様としては、前記制御部は、前記第２領域に表示させる前記関連情報を、前記第１領域に表示される画像の内容に応じて変化させることが望ましい。
【００１３】
本発明の好ましい態様としては、前記制御部は、前記表示部の前記第２領域に、１つ以上の項目を含むリスト情報を表示させ、前記リスト情報の項目が選択されたら、選択された項目に設定された面積分、前記表示部を前記移動手段によって前記筐体の外に露出させることが望ましい。
【００１４】
本発明の好ましい態様としては、前記視認部は、前記筐体に形成された貫通口と、前記貫通口にはめ込まれた透明部材とを含んで構成されていることが望ましい。
【００１５】
本発明の好ましい態様としては、前記表示部は、可撓性を有し、前記移動手段は、前記表示部を前記筐体内に巻き取って収納する巻き取り部と、当該巻き取り部を回転させる駆動装置とを有し、前記駆動装置が前記巻き取り部を巻き取り方向に回転させて、前記表示部を前記筐体に収納し、前記駆動装置が前記巻き取り部を前記巻き取り方向とは逆方向に回転させて、前記表示部を前記筐体の外部に露出させることが望ましい。
【００１６】
本発明の好ましい態様としては、前記第１領域の最大の面積は、前記第２領域の面積よりも大きいことが望ましい。
【００１７】
本発明の好ましい態様としては、前記制御部は、前記第１領域に表示される情報の要旨を示す情報を前記第２領域に表示させることが望ましい。
【００１８】
本発明の好ましい態様としては、前記第１領域の最大の面積は、前記筐体の最も広い面の面積よりも大きいことが望ましい。
【発明の効果】
【００１９】
本発明に係る携帯電子機器は、表示部の画像表示領域をより有効に活用できるという効果を奏する。
【図面の簡単な説明】
【００２０】
【図１】携帯電話機の外観を示す斜視図である。
【図２】筐体の内部を示すための断面図である。
【図３】制御装置が有する機能を示すブロック図である。
【図４】制御装置が実行する一連の手順を示すフローチャートである。
【図５】露出処理中画像を生成するための一連の手順を示すフローチャートである。
【図６−１】第２領域にリスト情報を表示する表示部を示す説明図である。
【図６−２】表示部の露出が未完了の際の表示部を示す説明図である。
【図６−３】表示部の露出が完了した際の表示部を示す説明図である。
【発明を実施するための形態】
【００２１】
以下、本発明につき図面を参照しつつ詳細に説明する。なお、以下の説明により本発明が限定されるものではない。また、以下の説明における構成要素には、当業者が容易に想定できるもの、実質的に同一のもの、いわゆる均等の範囲のものが含まれる。以下の説明では、携帯電子機器として携帯電話機を例として説明するが、本発明の適用対象は携帯電話機に限定されるものではない。例えば、ＰＨＳ（Personal Handyphone System）、ＰＤＡ、ポータブルナビゲーション装置、ノートパソコン、ゲーム機等に対しても本発明を適用できる。
【００２２】
（実施形態）
図１は、携帯電話機の外観を示す斜視図である。図２は、筐体の内部を示すための断面図である。なお、図１及び図２は携帯電話機１の構成を模式的に示す図であるため、各装置の大きさや配置位置などは、実際のものと異なる場合がある。図１に示す携帯電話機１は、筐体１０と、マイク１３と、レシーバ１４と、操作部１５と、表示部１６と、移動手段としての移動機構２０と、制御部３０とを備える。筐体１０は、例えば、単一で構成されるストレート型筐体である。なお、筐体１０は、例えば、第１筐体と第２筐体との２つを含んで構成されてもよい。この場合、筐体１０は、第１筐体が第２筐体に対してスライドする構成のスライド式筐体でもよいし、第１筐体が第２筐体に対して回動する折り畳み式の筐体でもよい。
【００２３】
マイク１３と、レシーバ１４と、操作部１５と、表示部１６と、移動機構２０と、制御部３０は、筐体１０の内部に設けられる。但し、表示部１６は、少なくとも一部が筐体１０の外部に露出できるように設けられる。表示部１６は、移動機構２０によって移動させられることにより、少なくとも一部が筐体１０の外部に露出する。マイク１３と、レシーバ１４と、操作部１５と、表示部１６と、移動機構２０とは、それぞれ制御部３０と電気的に接続される。制御部３０は、ＣＰＵ（Central Processing Unit）を含んで構成され、携帯電話機１の全体的な動作を統括的に制御する装置である。
【００２４】
マイク１３は、音声を電気信号に変換する。そして制御部３０が、電気信号に変換された音声をマイク１３から取得する。レシーバ１４は、制御部３０から出力された電気信号を音声に変換して出力する。操作部１５は、例えば、ボタンが筐体１０の外部に露出して設けられる。筐体１０のうち、操作部１５が露出する面を操作面１０ａという。操作面１０ａは、筐体１０が有する面の中で最も面積が広い。操作部１５は、携帯電話機１のユーザーによって操作される。制御部３０は、操作部１５を介してユーザーが入力した情報を取得する。なお、図１に示す操作部１５は、１つのボタンに１つのアルファベットが割り当てられている、いわゆるフルキーボードタイプであるが、１つのボタンに複数のアルファベットが割り当てられる、いわゆるテンキータイプのものでもよい。
【００２５】
表示部１６は、制御部３０から受け取った信号に基づいて画像を表示する。本実施形態の表示部１６は、例えば、可撓性を有する。表示部１６は、図２に示すように、丸められて筐体１０内に収納される。移動機構２０は、巻取体２１と、駆動装置としての駆動モータ２２と、ガイド２３とを含んで構成される。巻取体２１は、棒状部材である。本実施形態では、巻取体２１は円柱か筒状の形状に形成される。巻取体２１は、中心軸ＲＬを中心に回転できるように筐体１０に支持される。巻取体２１は、自身（巻取体２１）の側周部に表示部１６が連結される。駆動モータ２２は、巻取体２１に回転力を与える。これにより、巻取体２１は、中心軸ＲＬを中心に巻取り方向と、巻取り方向とは反対の送り出し方向との２方向に回転する。巻取体２１が巻取り方向に回転すると、表示部１６は巻取体２１に巻き取られる。巻取体２１が送り出し方向に回転すると、表示部１６は巻取体２１から送り出される。ガイド２３は、巻取体２１から露出口１１に向かって表示部１６の移動をガイドする。ガイド２３は、例えば、筐体１０の内壁面に形成される溝や壁である。
【００２６】
図１及び図２に示すように、筐体１０は、露出口１１と、視認部１２とが形成される。露出口１１は、筐体１０の内部と外部とを連通する孔である。露出口１１が形成される部位は限定されないが、例えば、露出口１１は、筐体１０の側面１０ｂに形成される。側面１０ｂは、操作面１０ａと交わる面であって、中心軸ＲＬと直交する仮想線が交わる面である。露出口１１は、表示部１６が通過できる形状に形成される。露出口１１は、例えば、図１に示すように長方形に形成される。長方形に形成される露出口１１の長辺は、中心軸ＲＬと平行である。露出口１１の長辺の寸法は、表示部１６の幅方向の寸法よりも大きい。なお、表示部１６の幅方向とは、中心軸ＲＬと平行な方向である。また、長方形に形成される露出口１１の短辺は、表示部１６の厚さよりも大きい。
【００２７】
視認部１２は、図２に示すように、貫通口１２ａと、透明部材１２ｂとを含んで構成される。貫通口１２ａは、筐体１０の内部と外部とを連通する孔である。貫通口１２ａは、筐体１０のうち、筐体１０の内部に収納されている表示部１６と対向する部位に形成される。例えば、貫通口１２ａは、露出口１１と巻取体２１との間の操作面１０ａに設けられる。透明部材１２ｂは、筐体１０の外部から筐体１０の内部をユーザーが視認できる程度の透明度を有する部材である。透明部材１２ｂは、貫通口１２ａに嵌め込まれることで貫通口１２ａを塞ぐ。なお、視認部１２は、貫通孔１２ａのみで構成されてもよいが、透明部材１２ｂを含んで構成される方が好ましい。これにより、視認部１２は、例えば、筐体１０内への埃の進入を抑制できる。
【００２８】
図３は、制御装置が有する機能を示すブロック図である。制御部３０は、１つの装置が図３に示す各機能を実現してもよいし、図３に示す各機能をそれぞれ別個に実現する複数の装置が電気的に接続されることで各機能を実現してもよい。制御部３０は、記憶部３１と、メール送受信部３２と、音声処理部３３と、表示制御部３４と、移動制御部３５と、主制御部３６との各機能を実現する。記憶部３１は、制御部３０が実行する一連の手順（プログラム）を記憶したり、前記一連の手順の実行に必要な情報を記憶したりする。メール送受信部３２は、ユーザーが作成したメールを送信したり、他の携帯電話機から送信されたメールを受信したりする。
【００２９】
音声処理部３３は、本実施形態の携帯電話機１と、他の携帯電話機との間での音声通話を実現するための機能である。音声処理部３３は、マイク１３及びレシーバ１４と信号をやりとりする。具体的には、音声処理部３３は、マイク１３が電気信号に変換した音声データをマイク１３から取得する。また、音声処理部３３は、レシーバ１４へ信号を出力して、レシーバ１４に音声を出力させる。表示制御部３４は、表示部１６に表示させる画像を生成する。そして、表示制御部３４は、生成した画像を信号として、表示部１６に出力する。ここで、表示部１６は、表示部１６の全領域のうちの一部の領域にのみ画像を表示できる。表示制御部３４は、表示部１６の全領域から画像を表示する領域（画像表示領域）を調節する。すなわち、表示制御部３４は、その画像表示領域の大きさや画像領域の位置を調節する。
【００３０】
移動制御部３５は、駆動モータ２２の動作を制御する。具体的には、移動制御部３５は、駆動モータ２２の回転方向を切り替えると共に、駆動モータ２２の回転角度を調節する。図３に示す主制御部３６は、記憶部３１から移動制御部３５の各部を統括すると共に、記憶部３１から移動制御部３５の各部とは異なる機能を実現する。例えば、主制御部３６は、記憶部３１から必要な情報を取得したり、記憶部３１に情報を記憶させたり、操作部１５からユーザーの操作を信号として取得したりする。また、主制御部３６は、記憶部３１に記憶されている一連の手順（プログラム）を実行したり、前記一連の手順の実行に必要な演算をしたりする。次に、携帯電話機１の動作を説明する。
【００３１】
移動制御部３５は、図２に示す駆動モータ２２の動作を制御して巻取体２１を送り出し方向に回転させる。これにより、表示部１６は、ガイド２３に導かれて露出口１１から筐体１０の外部に露出する。この時、表示部１６のうち、筐体１０の外部に露出した領域を第１領域Ａ１という。また、移動制御部３５は、駆動モータ２２の動作を制御して巻取体２１を巻取り方向に回転させる。これにより、表示部１６は、筐体１０の内部に収納される。表示部１６が筐体１０の外部に露出されている際や、表示部１６が筐体１０の内部に収納されている際に、表示部１６のうちの一部の領域は視認部１２と対向する。この視認部１２と対向する領域を、第２領域Ａ２という。なお、第１領域Ａ１及び第２領域Ａ２は、それぞれ、表示部１６の全領域のうちの一定の領域ではない。第１領域Ａ１は、巻取体２１が回転して表示部１６が移動することにより大きさが変化する。また、第２領域Ａ２は、巻取体２１が回転して表示部１６が移動することにより、表示部１６の全領域内での位置が変化する。
【００３２】
表示制御部３４は、表示部１６が露出口１１から筐体１０の外部に露出している際は、表示部１６は第１領域Ａ１に画像を表示すると共に、第２領域Ａ２にも画像を表示する。この時、第１領域Ａ１に表示されている画像は、第２領域Ａ２に表示されている画像と同じでもよいし、異なってもよい。本実施形態では、表示部１６は、第１領域Ａ１に表示されている画像とは異なる画像を第２領域Ａ２に表示する。また、表示部１６は、自身（表示部１６）が筐体１０の内部に収納されている際は、第２領域Ａ２のみに画像を表示させる。次に、制御部３０が実行する一連の手順の一例を説明する。なお、以下に説明する一連の手順は、携帯電話機１がメールを受信して、ユーザーがメールを閲覧する操作を操作部１５に入力した場合に実行する手順である。
【００３３】
図４は、制御装置が実行する一連の手順を示すフローチャートである。図５は、露出処理中画像を生成するための一連の手順を示すフローチャートである。図６−１は、第２領域にリスト情報を表示する表示部を示す説明図である。図６−２は、表示部の露出が未完了の際の表示部を示す説明図である。図６−３は、表示部の露出が完了した際の表示部を示す説明図である。図５に示す一連の手順は、図４に示すステップＳＴ１１０の詳細な手順である。
【００３４】
図４に示すステップＳＴ１０１で、図３に示す表示制御部３４は、図６−１に示すようなリスト情報を生成する。リスト情報とは、図２に示す第１領域Ａ１に表示できる項目を選択肢として並べた画像である。本実施形態では、リスト情報は、「ヘッダ情報のみ表示」と、「ヘッダ情報＋本文を表示」と、「添付ファイルを含めて全て表示」との３つの項目を含む。次に、ステップＳＴ１０２で、表示制御部３４は、図６−１に示すようにリスト情報を第２領域Ａ２に表示させる。ユーザーは、図１に示す視認部１２から表示部１６の第２領域Ａ２に表示されたリスト情報を確認する。そして、ユーザーは、リスト情報に含まれる複数の項目の中から１つの項目を選択する操作を操作部１５に入力する。次に、ステップＳＴ１０３で、図３に示す主制御部３６は、ユーザーが操作部１５に入力した操作を信号として操作部１５から取得する。
【００３５】
次に、ステップＳＴ１０４で、主制御部３６は、選択された項目を図２に示す第１領域Ａ１に表示するために必要な面積（必要露出面積Ｄ０）を算出する。具体的には、ユーザーが「ヘッダ情報のみ表示」を選択した場合、主制御部３６は、受信したメールに含まれる差出人情報、件名情報などのヘッダ情報を表示するために必要な面積に基づいて必要露出面積Ｄ０を算出する。ユーザーが「ヘッダ情報＋本文を表示」を選択した場合、主制御部３６は、受信したメールに含まれるヘッダ情報を表示するために必要な面積と、本文を表示するために必要な面積とに基づいて必要露出面積Ｄ０を算出する。ユーザーが「添付ファイルを含めて全て表示」を選択した場合、主制御部３６は、受信したメールに含まれるヘッダ情報を表示するために必要な面積と、本文を表示するために必要な面積と、受信したメールに添付されたファイルを表示するために必要な面積とに基づいて必要露出面積Ｄ０を算出する。なお、メールに添付されたファイルとは、例えば、画像ファイルや、動画ファイルである。
【００３６】
次に、ステップＳＴ１０５で、図３に示す移動制御部３５は、駆動モータ２２の動作を制御して図２に示す巻取体２１を送り出し方向に所定角度回転させる。所定角度は特定の角度に限定されないが、例えば、表示部１６を新たに１ドット行分露出させるために必要な角度である。なお、１ドット行とは、図１に示す表示部１６の中心軸ＲＬ方向に配列された１行分のドットの列をいう。次に、図４に示すステップＳＴ１０６で、主制御部３６は、表示部１６のうち筐体１０の外部に露出された露出面積Ｄ、すなわち、第１領域Ａ１の現在の面積を算出する。
【００３７】
次に、ステップＳＴ１０７で、表示制御部３４は、第１領域Ａ１に表示させる画像を生成する。ここで表示制御部３４が生成する画像は、ステップＳＴ１０６で主制御部３６が算出した露出面積Ｄに応じた画像である。つまり、露出面積Ｄが、テキスト１行分の面積である場合は、表示制御部３４は、１行分のテキスト画像を生成する。また、露出面積Ｄが、テキスト１行分の面積に満たない場合、表示制御部３４は、ブランク画像（何も表示しない画像）を生成する。次に、ステップＳＴ１０８で、表示制御部３４は、第１領域Ａ１にステップＳＴ１０７で生成した画像を表示させる。
【００３８】
次に、ステップＳＴ１０９で、主制御部３６は、第２領域Ａ２の現在の位置を算出する。これは、上述したように、第２領域Ａ２は、巻取体２１が回転して表示部１６が移動することにより、表示部１６の全領域内での位置が変化するためである。主制御部３６は、移動制御部３５が巻取体２１をこれまでに回転させた角度に基づいて、第２領域Ａ２の現在の位置を算出する。次に、ステップＳＴ１１０で、表示制御部３４は、第２領域Ａ２に表示させる露出処理中画像を生成する。以下、露出処理中画像を生成するための一連の手順の一例を説明する。
【００３９】
図５に示すステップＳＴ２０１で、図３に示す主制御部３６は、第１領域Ａ１にオブジェクトが表示されているか否かを判定する。オブジェクトとは、第１領域Ａ１に表示される画像に含まれる情報を分類するものである。メールの場合、オブジェクトは、例えば、差出人情報と、件名情報と、本文情報と、添付ファイル情報との４種類ある。第１領域Ａ１にオブジェクトが表示されていない場合（ステップＳＴ２０１、Ｎｏ）、ステップＳＴ２０２で、表示制御部３４は、無項目画像を露出処理中画像とする。無項目画像は、例えば、「表示部を露出処理中」や、「しばらくお待ち下さい」などのテキスト画像である。
【００４０】
第１領域Ａ１にオブジェクトが表示されている場合（ステップＳＴ２０１、Ｙｅｓ）、ステップＳＴ２０３で、主制御部３６は、第１領域Ａ１に表示されている画像に含まれるオブジェクトを抽出する。すなわち、主制御部３６は、第１領域Ａ１に表示されている画像に含まれるオブジェクトが何であるかを判定する。次に、ステップＳＴ２０４で、主制御部３６は、ステップＳＴ２０３で抽出されたオブジェクトの中に新規オブジェクトがあるか否かを判定する。ここで、図５に示す一連の手順は、複数回実行されることがある。ここでいう、新規オブジェクトとは、前回のステップＳＴ２０３で抽出されたオブジェクトに含まれていないオブジェクトである。
【００４１】
新規オブジェクトがある場合（ステップＳＴ２０４、Ｙｅｓ）、ステップＳＴ２０５で、表示制御部３４は、新規オブジェクトを表示中である旨を表す露出処理中画像を生成する。例えば、図６−２に示すように、差出人情報が新たに第１領域Ａ１に表示された場合、すなわち、差出人情報が新規オブジェクトである場合、表示制御部３４は、差出人情報を第１領域Ａ１に表示している旨を表す画像を露出処理中画像として生成する。例えば、表示制御部３４は、「Ｆｒｏｍ情報表示中」というテキスト画像を露出処理中画像として生成する。新規オブジェクトがない場合（ステップＳＴ２０４、Ｎｏ）、ステップＳＴ２０６で、表示制御部３４は、前回のステップＳＴ２０２または前回のステップＳＴ２０５で生成した露出処理中画像を今回の露出処理中画像とする。ステップＳＴ２０２と、ステップＳＴ２０５と、ステップＳＴ２０６とのうちのいずれかの手順が完了すると、制御部３０は、図５に示す一連の手順の実行を終了し、図４に示すステップＳＴ１１１に移る。
【００４２】
図４に示すステップＳＴ１１１で、図３に示す表示制御部３４は、第２領域Ａ２に露出処理中画像を表示させる。よって、携帯電話機１は、第１領域Ａ１に表示されている画像の関連情報を、画像として第２領域Ａ２に表示できる。ユーザーは、図１に示す視認部１２から表示部１６の第２領域Ａ２に表示された露出処理中画像を視認できる。よって、携帯電話機１は、現在、第１領域Ａ１にどのような種類の情報（オブジェクト）を表示中かをユーザーに報知できる。
【００４３】
次に、ステップＳＴ１１２で、図３に示す主制御部３６は、現在の露出面積Ｄが必要露出面積Ｄ０と等しいか否か、すなわち、現在の露出面積Ｄが必要露出面積Ｄ０に到達したか否かを判定する。これにより、主制御部３６は、ユーザーが要求するオブジェクトを第１領域Ａ１に表示するために必要な面積分、表示部１６が筐体１０の外部に露出されたか否かを判定する。現在の露出面積Ｄが必要露出面積Ｄ０と異なる場合（ステップＳＴ１１２、Ｎｏ）、制御部３０は、ステップＳＴ１０５に戻る。そして、ステップＳＴ１１２で肯定的な判定が成されるまで、制御部３０は、ステップＳＴ１０５からステップＳＴ１１１の一連の手順を繰り返し実行する。
【００４４】
現在の露出面積Ｄが必要露出面積Ｄ０と等しい場合（ステップＳＴ１１２、Ｙｅｓ）、ステップＳＴ１１３で、表示制御部３４は、第２領域Ａ２に表示させる露出完了画像を生成する。露出完了画像は、表示部１６の露出が完了し、ユーザーが希望したオブジェクトを第１領域Ａ１にすべて表示した旨を表す画像である。露出完了画像は、例えば、図６−３に示すように、「露出処理完了  ヘッダ情報＋本文＋添付ファイルを表示中」というテキスト画像である。次に、ステップＳＴ１１４で、表示制御部３４は、第２領域Ａ２にステップＳＴ１１３で生成した露出完了画像を表示させる。これにより、ユーザーは、図１に示す視認部１２から表示部１６の第２領域Ａ２に表示された露出完了画像を視認できる。よって、携帯電話機１は、表示部１６の露出が完了したことと、ユーザーが希望したオブジェクトを第１領域Ａ１にすべて表示していることとを、ユーザーに報知できる。ステップＳＴ１１４を実行すると、制御部３０は、図４に示す一連の手順の実行を終了する。
【００４５】
以上のように、携帯電話機１は、筐体１０の最も広い面、すなわち操作面１０ａよりも面積が大きい表示部１６を筐体１０の内部に備える。これにより、携帯電話機１は、表示部１６のうち筐体１０の外部に露出する部分、すなわち第１領域Ａ１の最大の面積を操作面１０ａよりも大きくできる。これにより、携帯電話機１は、表示部１６がより大きな画像を表示できる。そして、携帯電話機１は、可撓性を有する表示部が丸められて筐体１０の内部に収納されることにより、シンプルな構造で操作面１０ａよりも面積が大きい表示部を筐体１０の内部に備えることができる。また、携帯電話機１は、１つの表示部１６に、第１領域Ａ１と第２領域Ａ２との２つの画像表示領域を有する。そして、図３に示す表示制御部３４は、第１領域Ａ１に表示させる画像と、第２領域Ａ２に表示させる画像との２つの画像を生成し、表示部１６にこれらの画像を別々に表示させる。これにより、携帯電話機１は、１つの表示部１６で擬似的に２つの表示部を表現できる。
【００４６】
ここで、第１領域Ａ１の最大面積は、第２領域Ａ２の面積よりも大きいと好ましい。この場合、携帯電話機１は、例えば、第１領域Ａ１に詳細情報を表示すると共に、第２領域Ａ２に詳細情報の要旨を示す情報を表示するとさらに好ましい。詳細情報の要旨を示す情報とは、例えば、詳細情報の種類や、詳細情報に含まれるヘッダ情報である。詳細情報の要旨を示す情報は、詳細情報よりも情報量が少ない。これにより、携帯電話機１は、第１領域Ａ１に表示される情報の要旨を示す情報を第２領域Ａ２に表示することで、第２領域Ａ２を小型化できる。結果として、携帯電話機１は、視認部１２を小型化できる。なお、携帯電話機１は、表示部１６が可撓性を有するが、例えば、撓まない表示部を備えても、１つの表示部１６で擬似的に２つの表示部を表現することはできる。以上により、携帯電話機１は、表示部１６の画像表示領域をより有効に活用できる。
【００４７】
また、携帯電話機１は、図４及び図５に示す一連の手順を制御部３０が実行することにより、第１領域Ａ１と第２領域Ａ２とが異なる画像を表示できる。これにより、携帯電話機１は、異なる情報をユーザーに報知できる。具体的には、本実施形態では、携帯電話機１は、表示制御部３４は、第１領域Ａ１に表示させる画像の関連情報を示す画像を、第２領域Ａ２に表示させる。よって、携帯電話機１は、第１領域Ａ１にどのようなオブジェクトが表示されているかをユーザーに提供できる。さらに、前記関連情報を示す画像は、第１領域Ａ１に表示される画像の内容に応じて刻々と変化する。よって、携帯電話機１は、現在、第１領域Ａ１にどのようなオブジェクトが表示されているかをユーザーに提供できる。なお、携帯電話機１は、事前に通信回線を介して取得（ダウンロード）した情報、例えば広告情報を第２領域Ａ２に表示してもよい。
【００４８】
また、携帯電話機１は、表示部１６がすべて筐体１０の内部に収納されている状態では、第２領域Ａ２のみに画像を表示することになる。表示部１６は、表示部１６の全領域に画像を表示する時よりも、表示部１６の一部である第２領域Ａ２のみに画像を表示している時の方が、消費する電力量は少ない。よって、携帯電話機１は、表示部１６が第２領域Ａ２のみに画像を表示することで消費する電力量を低減できる。
【００４９】
また、携帯電話機１は、図２に示す移動機構２０により表示部１６が移動されている間も、表示部１６が第２領域Ａ２に露出処理中画像を表示する。これにより、携帯電話機１は、表示部１６が移動している最中も、第１領域Ａ１にオブジェクトが表示されているか否かや、第１領域Ａ１にどのようなオブジェクトが表示されているのかを示す関連情報をユーザーに報知できる。また、この時、表示制御部３４は、図４に示すステップＳＴ１０９を実行することによって、移動機構２０による表示部１６の移動量に対応させて、第２領域Ａ２の位置を表示部１６の移動方向とは反対側に移動させつつ、第２領域Ａ２に露出処理中画像を表示できる。これにより、携帯電話機１は、表示部１６が移動中であっても、視認部１２から視認できる画像が停止しているように見せることができる。
【００５０】
また、表示制御部３４は、表示部１６の第２領域Ａ２に、１つ以上の項目を含むリスト情報を表示させる。そして、リスト情報の項目が選択されたら、移動制御部３５は、選択された項目に設定された面積分、表示部１６を移動機構２０によって筐体１０の外部に露出させる。これにより、携帯電話機１は、ユーザーが希望するオブジェクトを第１領域Ａ１に表示させるために必要な面積分のみ、表示部１６を筐体１０の外部に露出できる。ここで、表示部１６は、第２領域Ａ２にリスト情報を表示しなくてもよい。例えば、表示部１６は、数値の入力を補助する画像を第２領域Ａ２に表示する。そして、移動制御部３５は、ユーザーが操作部１５に入力した数値に応じて、露出口１１から露出させる表示部１６の面積を調節してもよい。
【００５１】
また、例えば、移動制御部３５は、操作部１５に所定の操作が入力される度に、露出口１１から露出する表示部１６の面積を増減させてもよい。具体的には、移動制御部３５は、下ボタンが押下される操作が操作部１５に入力されると、露出口１１から露出する表示部１６の面積を増加させ、上ボタンが押下される操作が操作部１５に入力されると、露出口１１から露出する表示部１６の面積を減少させる。この場合であっても、携帯電話機１は、ユーザーが希望する面積分、表示部１６を筐体１０の外部に露出できる。
【産業上の利用可能性】
【００５２】
以上のように、本発明に係る携帯電子機器は、少なくとも一部が筐体の外部に露出できるように筐体の内部に設けられる表示部を備える技術であって、表示部の画像表示領域をより有効に活用することに有用である。
【符号の説明】
【００５３】
１  携帯電話機
１０  筐体
１０ａ  操作面
１０ｂ  側面
１１  露出口
１２  視認部
１２ａ  貫通孔
１２ｂ  透明部材
１３  マイク
１４  レシーバ
１５  操作部
１６  表示部
２０  移動機構
２１  巻取体
２２  駆動モータ
２３  ガイド
３０  制御部
３１  記憶部
３２  メール送受信部
３３  音声処理部
３４  表示制御部
３５  移動制御部
３６  主制御部
Ａ１  第１領域
Ａ２  第２領域
ＲＬ  中心軸
【図１】
2011133678.tif 000003
【図２】
2011133678.tif 000004
【図３】
2011133678.tif 000005
【図４】
2011133678.tif 000006
【図５】
2011133678.tif 000007
【図６−１】
2011133678.tif 000008
【図６−２】
2011133678.tif 000009
【図６−３】
2011133678.tif 000010